(57)【要約】【課題】異なる複数の印刷ジョブをまとめたグループジョブであっても、元の印刷ジョブの印刷状況が容易に把握される印刷工程管理装置を提供する。【解決手段】印刷工程管理装置の表示手段は、印刷情報を含む印刷製品の製品識別情報と、印刷情報を処理単位として含むグループのグループ識別情報とを関連付けて表示し、受付手段は、一の製品に含まれる複数の印刷情報及び印刷情報が含まれているグループを識別可能な第一の態様、一のグループに属する複数の印刷情報及び複数の印刷情報が含まれている印刷製品を識別可能な第二の態様、のいずれかで表示するよう、表示態様を切り替える旨の指示を受け付け、表示制御手段は、表示態様を切り替える旨の指示を受け付けたときに、操作者によって選択されているグループ識別情報又は製品識別情報を特定し、切り替えられた表示態様において特定された識別情報を他の識別情報とは異なるように表示させるように制御する。【選択図】図１
2019215619.tif 000002
【特許請求の範囲】
【請求項１】
印刷情報を含む印刷製品の製品識別情報と、当該印刷情報を処理単位として含むグループのグループ識別情報とを関連付けて表示する表示手段と、
一の製品に含まれる複数の印刷情報及び当該複数の印刷情報がそれぞれ含まれているグループを識別可能な第一の態様、一のグループに属する複数の印刷情報及び当該複数の印刷情報がそれぞれ含まれている印刷製品を識別可能な第二の態様、の少なくとも二つの態様のいずれかで印刷情報の処理状況を示す管理情報を表示するよう、前記表示手段による表示態様を切り替える旨の指示を受け付ける受付手段と、
前記受付手段が表示態様を切り替える旨の指示を受け付けたときに、操作者によって選択されているグループ識別情報又は製品識別情報を特定し、切り替えられた表示態様において当該特定された識別情報を同じ種類の他の識別情報とは異なるように表示させるように制御する表示制御手段
を有する印刷工程管理装置。
【請求項２】
前記受付手段は、第一の態様及び第二の態様に係る印刷工程に加え、後処理工程以降の印刷工程を管理する表示態様に切り替える旨の指示を受け付け、
前記表示制御手段は、前記受付手段が後処理工程以降の印刷工程を管理する表示態様に切り替える旨の指示を受け付けた場合は、後処理工程以降の印刷工程を表示させるように制御する、
請求項１に記載の印刷工程管理装置。
【請求項３】
前記表示手段は、さらに前記印刷製品を構成する印刷部品の印刷部品識別情報を、前記製品識別情報又はグループ識別情報と関連付けて表示する、
請求項１に記載の印刷工程管理装置。
【請求項４】
前記表示制御手段は、前記受付手段が表示態様を切り替える旨の指示を受け付けたときに、操作者によって選択されている印刷部品識別情報を特定し、切り替えられた表示態様において当該特定された印刷部品識別情報を他の印刷部品識別情報とは異なるように表示するように制御する、
請求項３に記載の印刷工程管理装置。
【請求項５】
前記表示制御手段は、特定したグループ識別情報又は製品識別情報を含む管理情報のみを表示するように制御する、
請求項１に記載の印刷工程管理装置。
【請求項６】
コンピュータを、
印刷情報を含む印刷製品の製品識別情報と、当該印刷情報を処理単位として含むグループのグループ識別情報とを関連付けて表示する表示手段と、
一の製品に含まれる複数の印刷情報及び当該複数の印刷情報がそれぞれ含まれているグループを識別可能な第一の態様、一のグループに属する複数の印刷情報及び当該複数の印刷情報がそれぞれ含まれている印刷製品を識別可能な第二の態様、の少なくとも二つの態様のいずれかで印刷情報の処理状況を示す管理情報を表示するよう、前記表示手段による表示態様を切り替える旨の指示を受け付ける受付手段と、
前記受付手段が表示態様を切り替える旨の指示を受け付けたときに、操作者によって選択されているグループ識別情報又は製品識別情報を特定し、切り替えられた表示態様において当該特定された識別情報を同じ種類の他の識別情報とは異なるように表示させるように制御する表示制御手段
として機能させるための印刷工程管理プログラム。
【発明の詳細な説明】
【技術分野】
【０００１】
本発明は、印刷工程管理装置及び印刷工程管理プログラムに関する。
【背景技術】
【０００２】
特許文献１には、複数の工程を経て製作される成果物の、成果物単位での進捗管理と工程単位での進捗管理とを容易に行う情報処理装置及びその制御方法を提供することを課題とし、複数の工程を経て生成される成果物の単位を表示列として、表示画面を生成する第１の生成手段と、前記工程の単位を表示列として、表示画面を生成する第２の生成手段と、前記第１の生成手段で生成された表示画面と、前記第２の生成手段で生成された表示画面のいずれか１つの表示画面を表示する表示制御手段と、前記第１の生成手段で生成された表示画面を前記第２の生成手段で生成された表示画面に切り替える、あるいは、前記第２の生成手段で生成された表示画面を前記第１の生成手段で生成された表示画面に切り替える切り替え手段と、を有することが開示されている。
【先行技術文献】
【特許文献】
【０００３】
【特許文献１】特開２０１７−０４９８４８号公報
【発明の概要】
【発明が解決しようとする課題】
【０００４】
ペーパーレス化や電子出版の普及により、印刷業界では大量部数の出版のような大規模な印刷ジョブが減っている。そのため、大量部数印刷を前提としていたオフセット印刷機をはじめとする印刷工程（印刷処理工程）の各処理装置の稼働率も下がり、印刷コスト上昇の一因となっている。印刷装置の稼働率を上げるため、少部数印刷のような小規模な印刷ジョブであっても複数まとめることによって大規模な印刷ジョブとして処理するいわゆるグループジョブが注目されている。
グループジョブを採用することによって、それぞれの印刷工程処理装置の稼働率は向上するが、一つの印刷ジョブ（グループジョブ）の中には例えば注文主が異なる複数の印刷ジョブ、あるいは納期が異なる複数の印刷ジョブが混在する場合が生じる。逆にいえば、一つの印刷ジョブが複数の印刷ジョブに分解されて処理されていることとなる。そのため、グループジョブでは、ある注文主の印刷ジョブがどの印刷工程で処理されているかなどの印刷状況（ステータス）の把握が容易でない。
本発明は、異なる複数の印刷ジョブをまとめたグループジョブであっても、元の印刷ジョブの印刷状況が容易に把握される印刷工程管理装置及び印刷工程管理プログラムを提供することを目的とする。
【課題を解決するための手段】
【０００５】
かかる目的を達成するための本発明の要旨とするところは、次の各項の発明に存する。
請求項１の発明は、印刷情報を含む印刷製品の製品識別情報と、当該印刷情報を処理単位として含むグループのグループ識別情報とを関連付けて表示する表示手段と、一の製品に含まれる複数の印刷情報及び当該複数の印刷情報がそれぞれ含まれているグループを識別可能な第一の態様、一のグループに属する複数の印刷情報及び当該複数の印刷情報がそれぞれ含まれている印刷製品を識別可能な第二の態様、の少なくとも二つの態様のいずれかで印刷情報の処理状況を示す管理情報を表示するよう、前記表示手段による表示態様を切り替える旨の指示を受け付ける受付手段と、前記受付手段が表示態様を切り替える旨の指示を受け付けたときに、操作者によって選択されているグループ識別情報又は製品識別情報を特定し、切り替えられた表示態様において当該特定された識別情報を同じ種類の他の識別情報とは異なるように表示させるように制御する表示制御手段を有する印刷工程管理装置である。
【０００６】
請求項２の発明は、前記受付手段は、第一の態様及び第二の態様に係る印刷工程に加え、後処理工程以降の印刷工程を管理する表示態様に切り替える旨の指示を受け付け、前記表示制御手段は、前記受付手段が後処理工程以降の印刷工程を管理する表示態様に切り替える旨の指示を受け付けた場合は、後処理工程以降の印刷工程を表示させるように制御する、請求項１に記載の印刷工程管理装置である。
【０００７】
請求項３の発明は、前記表示手段は、さらに前記印刷製品を構成する印刷部品の印刷部品識別情報を、前記製品識別情報又はグループ識別情報と関連付けて表示する、請求項１に記載の印刷工程管理装置である。
【０００８】
請求項４の発明は、前記表示制御手段は、前記受付手段が表示態様を切り替える旨の指示を受け付けたときに、操作者によって選択されている印刷部品識別情報を特定し、切り替えられた表示態様において当該特定された印刷部品識別情報を他の印刷部品識別情報とは異なるように表示するように制御する、請求項３に記載の印刷工程管理装置である。
【０００９】
請求項５の発明は、前記表示制御手段は、特定したグループ識別情報又は製品識別情報を含む管理情報のみを表示するように制御する、請求項１に記載の印刷工程管理装置である。
【００１０】
請求項６の発明は、コンピュータを、印刷情報を含む印刷製品の製品識別情報と、当該印刷情報を処理単位として含むグループのグループ識別情報とを関連付けて表示する表示手段と、一の製品に含まれる複数の印刷情報及び当該複数の印刷情報がそれぞれ含まれているグループを識別可能な第一の態様、一のグループに属する複数の印刷情報及び当該複数の印刷情報がそれぞれ含まれている印刷製品を識別可能な第二の態様、の少なくとも二つの態様のいずれかで印刷情報の処理状況を示す管理情報を表示するよう、前記表示手段による表示態様を切り替える旨の指示を受け付ける受付手段と、前記受付手段が表示態様を切り替える旨の指示を受け付けたときに、操作者によって選択されているグループ識別情報又は製品識別情報を特定し、切り替えられた表示態様において当該特定された識別情報を同じ種類の他の識別情報とは異なるように表示させるように制御する表示制御手段として機能させるための印刷工程管理プログラムである。
【発明の効果】
【００１１】
請求項１の印刷工程管理装置によれば、異なる複数の印刷ジョブをまとめたグループジョブであっても、元の印刷ジョブの印刷状況が容易に把握される。
【００１２】
請求項２の印刷工程管理装置によれば、後処理工程以降の印刷工程が容易に把握される。
【００１３】
請求項３の印刷工程管理装置によれば、製品識別情報又はグループ識別情報と関連付けられた印刷部品識別情報が容易に把握される。
【００１４】
請求項４の印刷工程管理装置によれば、切り替えられた表示態様において、特定された印刷部品識別情報が容易に把握される。
【００１５】
請求項５の印刷工程管理装置によれば、特定したグループ識別情報又は製品識別情報に関する管理情報が容易に把握される。
【００１６】
請求項６の印刷工程管理プログラムによれば、異なる複数の印刷ジョブをまとめたグループジョブであっても、元の印刷ジョブの印刷状況が容易に把握される。
【図面の簡単な説明】
【００１７】
【図１】本実施の形態の構成例についての概念的なモジュール構成図である。
【図２】本実施の形態を利用したシステム構成例を示す説明図である。
【図３】本実施の形態による処理例を示すフローチャートである。
【図４】印刷ジョブテーブル、プロダクト印刷ジョブテーブルのデータ構造例を示す説明図である。
【図５】分割パーツテーブル、パーツ印刷ジョブテーブルのデータ構造例を示す説明図である。
【図６】同属性パーツテーブル、グループテーブルのデータ構造例を示す説明図である。
【図７】本実施の形態による処理例を示す説明図である。
【図８】本実施の形態による処理例を示す説明図である。
【図９】本実施の形態による処理例を示す説明図である。
【図１０】本実施の形態による処理例を示すフローチャートである。
【図１１】従来の画面切り替え処理の例を示す説明図である。
【図１２】従来の画面切り替え処理の例を示す説明図である。
【図１３】本実施の形態による処理例を示す説明図である。
【図１４】本実施の形態による処理例を示す説明図である。
【図１５】本実施の形態による処理例を示す説明図である。
【図１６】本実施の形態による処理例を示す説明図である。
【図１７】本実施の形態による処理例を示す説明図である。
【図１８】本実施の形態による処理例を示す説明図である。
【図１９】本実施の形態による処理例を示す説明図である。
【図２０】本実施の形態による処理例を示す説明図である。
【図２１】本実施の形態による処理例を示す説明図である。
【図２２】本実施の形態による処理例を示す説明図である。
【図２３】本実施の形態を実現するコンピュータのハードウェア構成例を示すブロック図である。
【発明を実施するための形態】
【００１８】
まず、本実施の形態を説明する前に、その前提となる技術等について説明する。なお、この説明は、本実施の形態の理解を容易にすることを目的とするものである。
以前から、印刷業界において、印刷ワークフローを利用して出力装置で印刷出力される印刷製品の内容は多種多様である。例えば、用紙種類から印字属性、要求画質、後処理等さまざまな要素に基づいて出力工程が実行されている。
この印刷工程における印刷製品の生産性は、作業を行う操作者（オペレーター、作業者、担当者等を含む）の熟練度に依存している。また、印刷製品の内容（指定用紙種類、要求画質等）の複雑度が増すに比例して、出力中の操作者による作業が増え、効率性を損ねており、またミスを誘発する温床ともなっていた。また、管理する出力装置が増えれば増えるほどに操作者の運用負荷が増していた。
そこで、前述した特許文献に記載されているように、操作者の負荷軽減を図る仕組みや、印刷ワークフローを導入することで印刷製品及び出力装置の情報を一元管理する仕組みが考案されたが、複雑な印刷ジョブにおける出力装置の効率的な運用には依然として課題がある。
【００１９】
例えば、製本を行う印刷ジョブのように印刷ジョブ中に多種多様な用紙を要求する場合、複数の異なる製本ジョブを受け付けた際に、印刷装置によっては用紙供給手段（用紙トレイを含む）の数が不足し、操作者による用紙の入れ替え作業が発生する。
また、大量の枚数となる印刷ジョブを出力する場合には複数台の印刷装置で分散出力するケースがあるが、それぞれの印刷装置で用紙交換・トナー補充等の操作者作業が頻繁に発生すると、印刷装置の稼働率が低下し、生産性が低下するとともにミスを誘発しやすくなる。
複数の印刷部品から構成される印刷製品について、印刷製品の進捗管理とともに、印刷部品単位の集合体毎（グループ）の進捗管理を行うことが求められている。
【００２０】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２１】
本実施の形態である印刷工程管理装置１００は、取得した印刷情報にしたがって印刷工程処理装置（プリンタ２５０、製本機２６０等）に印刷製品の製造（少なくとも印刷を含み、この他にプリプレス等の前処理、製本等の後処理等を含めてもよい）を行わせるものであって、図１の例に示すように、ＵＩ（Ｕｓｅｒ  Ｉｎｔｅｒｆａｃｅ）処理モジュール１０５、プロダクト・パーツ・グループ等管理モジュール１２０、印刷工程取得モジュール１２５、表示制御モジュール１３０を有している。印刷工程管理装置１００は、ワークフロー管理装置とも呼ばれる。
印刷工程管理装置１００は、異なる複数の印刷ジョブをまとめたグループジョブであっても、元の印刷ジョブの印刷状況が把握されるようにする。
また、印刷工程管理装置１００は、一つの印刷製品を構成する複数の印刷部品が異なる複数の印刷ジョブとして処理されている場合であっても、各印刷部品の印刷状況が把握されるようにする。
【００２２】
以下に、用語の定義を行う。
印刷製品（印刷成果物、プロダクトともいわれる）とは、最終的に顧客に納品する成果物である。例えば、本、チラシ等が該当する。
印刷部品（パーツともいわれる）とは、印刷製品を構成するものである。例えば、本を構成する表紙、本文、等がある。一般的には、印刷製品は複数の印刷部品から構成されている。ただし、チラシのように、１つの印刷部品から構成されている印刷製品もある。
グループとは、複数の印刷部品を、印刷工程処理装置で処理しやすいようにまとめたものである。複数の異なる印刷製品の印刷部品が１つのグループを構成することもある。なお、チラシのように印刷データを印刷すれば印刷製品が完成するような場合には、印刷製品がグループを構成することもある。換言すると、一の印刷工程処理装置で共通して処理することができる複数の印刷ジョブはグループを構成することが可能である。
例えば、複数の印刷製品の表紙（印刷部品の一例）をまとめて１つのグループを作成し、表紙用のカット紙プリンタ（印刷工程処理装置の一例）で出力することが行われる。また、複数の印刷製品の本文（印刷部品の一例）をまとめて１つのグループを作成し、本文用の連帳プリンタ（印刷工程処理装置の一例）で出力することが行われる。そして、操作者が、複数のプリンタからの出力（印刷物）を合わせて１冊の本にする。その際に、印刷物の欄外に印刷されたバーコード等の情報画像を用いて、どの印刷製品のどの印刷部品であるかが識別できるようにしている。
【００２３】
ＵＩ処理モジュール１０５は、受付モジュール１１０、表示モジュール１１５を有している。ＵＩ処理モジュール１０５は、ユーザーインタフェース処理を行い、例えば、ＵＩ処理モジュール１０５は、タッチパネルを兼ねる液晶ディスプレイを制御して、ユーザーの操作を受け付け、ユーザーに対してメッセージ等を提示する。この他、マウス、キーボード、カメラ、マイク等を用いたユーザーの操作（視線、ジェスチャ、音声等も含む）を受け付けるようにしてもよいし、スピーカーによる音声出力、触覚デバイスを用いた触感によって、ユーザーへのメッセージを提示するようにしてもよい。また、クライアント装置２４０のＷｅｂブラウザを用いて、通信回線を介してクライアント装置２４０からユーザーの操作を受け付けたり、クライアント装置２４０の表示装置に表示したりしてもよい。
【００２４】
表示モジュール１１５は、表示制御モジュール１３０と接続されている。表示モジュール１１５は、印刷情報を含む印刷製品の製品識別情報と、その印刷情報を処理単位として含むグループのグループ識別情報とを関連付けて表示する。ここで、印刷情報とは、印刷ジョブのことをいい、印刷データと印刷処理の内容を特定する印刷属性（ジョブプロパティ）を少なくとも含んでいる。具体例として、表示モジュール１１５は、プロダクトＩＤ、グループＩＤが対応付けられてリスト表示される管理画面を表示する。
【００２５】
受付モジュール１１０は、表示制御モジュール１３０と接続されている。受付モジュール１１０は、（１）一の製品に含まれる複数の印刷情報及びその複数の印刷情報がそれぞれ含まれているグループを識別可能な第一の態様、（２）一のグループに属する複数の印刷情報及び当該複数の印刷情報がそれぞれ含まれている印刷製品を識別可能な第二の態様、の少なくとも二つの態様のいずれかで印刷情報の処理状況を示す管理情報を表示するよう、表示モジュール１１５による表示態様を切り替える旨の指示を受け付ける。
具体例として、第一の態様は図１３の例を用いて後述する「プロダクト管理画面」、第二の態様は図１４の例を用いて後述する「グループ管理画面」がそれぞれ該当する。そして、この場合の受付モジュール１１０は、図１３の例を用いて後述する「切り替え画面選択ボックス」内でのリストの選択を受け付けることに該当する。
【００２６】
表示制御モジュール１３０は、ＵＩ処理モジュール１０５の受付モジュール１１０と表示モジュール１１５、プロダクト・パーツ・グループ等管理モジュール１２０、印刷工程取得モジュール１２５と接続されている。表示制御モジュール１３０は、受付モジュール１１０が表示態様を切り替える旨の指示を受け付けたときに、操作者によって選択されているグループ識別情報又は製品識別情報を特定し、切り替えられた表示態様において、その特定された識別情報を同じ種類の他の識別情報とは異なるように表示させるように制御する。
ここで「同じ種類の他の識別情報」とは、具体的には、（１）グループ識別情報のうち、特定されたグループ識別情報以外のグループ識別情報のこと、又は、（２）製品識別情報のうち、特定された製品識別情報以外の製品識別情報のこと、である。
【００２７】
プロダクト・パーツ・グループ等管理モジュール１２０は、表示制御モジュール１３０と接続されている。プロダクト・パーツ・グループ等管理モジュール１２０は、印刷製品の製造に必要な情報を管理する。例えば、後述する印刷ジョブテーブル４００、プロダクト印刷ジョブテーブル４７０、分割パーツテーブル５００、パーツ印刷ジョブテーブル５７０、同属性パーツテーブル６００、グループテーブル６７０を用いて、印刷情報、製品識別情報、グループ識別情報、印刷部品識別情報等を管理する。これらの情報は、表示制御モジュール１３０によって表示制御される管理情報の一部である。
印刷工程取得モジュール１２５は、表示制御モジュール１３０と接続されている。印刷工程取得モジュール１２５は、印刷製品の製造を行う印刷工程処理装置（後述するプリンタ２５０、製本機２６０等）から、その印刷工程処理装置における処理状況を取得する。この処理状況は、表示制御モジュール１３０によって表示制御される管理情報の一部である。
【００２８】
また、受付モジュール１１０は、第一の態様及び第二の態様に係る印刷工程に加え、後処理工程以降の印刷工程を管理する表示態様に切り替える旨の指示を受け付けるようにしてもよい。
そして、表示制御モジュール１３０は、受付モジュール１１０が後処理工程以降の印刷工程を管理する表示態様に切り替える旨の指示を受け付けた場合は、後処理工程以降の印刷工程を表示させるように制御するようにしてもよい。
【００２９】
また、表示モジュール１１５は、さらに印刷製品を構成する印刷部品の印刷部品識別情報を、製品識別情報又はグループ識別情報と関連付けて表示するようにしてもよい。
そして、表示制御モジュール１３０は、受付モジュール１１０が表示態様を切り替える旨の指示を受け付けたときに、操作者によって選択されている印刷部品識別情報を特定し、切り替えられた表示態様において、その特定された印刷部品識別情報を他の印刷部品識別情報とは異なるように表示するように制御するようにしてもよい。
【００３０】
また、表示制御モジュール１３０は、特定したグループ識別情報又は製品識別情報を含む管理情報のみを表示するように制御するようにしてもよい。具体的には、図１６の例を用いて後述する。
【００３１】
図２は、本実施の形態を利用したシステム構成例を示す説明図である。
印刷工程管理装置１００は、通信回線を介してクライアント装置２４０に対して、印刷のワークフローにおける処理状況の報告を行うようにしてもよい。
印刷工程管理装置１００は、通信回線２９０を介してクライアント装置２４０Ｂ、クライアント装置２４０Ｃ、クライアント装置２４０Ｄと接続されている。通信回線２９０は、無線、有線、これらの組み合わせであってもよく、例えば、通信インフラとしてのインターネット、イントラネット等であってもよい。また、印刷工程管理装置１００による機能は、クラウドサービスとして実現してもよい。
また、印刷工程管理装置１００は、クライアント装置２４０Ａ、プリンタ２５０Ａ、製本機２６０Ａ、プリンタ２５０Ｂ、製本機２６０Ｂと接続されている。印刷工程管理装置１００は、複数のプリンタ２５０、複数の製本機２６０を用いて、印刷のワークフローを実行してもよい。なお、印刷機、製本機（パンチ穴あけ機、ステープラー等を含めてもよい）だけでなく、他の装置を用いるようにしてもよい。例えば、配送を管理する情報処理装置（荷物追跡システム）等を含んでいてもよい。
また、印刷のワークフロー（処理工程）として、入稿、プリプレス、印刷、後処理、検品、配送がある。この順番で処理を行う。また、この印刷のワークフローに、他の処理工程を付加してもよいし、逆に、この中の処理工程（例えば、検品）がスキップ（省略）されてもよい。
【００３２】
図３は、本実施の形態（主に、プロダクト・パーツ・グループ等管理モジュール１２０）による処理例を示すフローチャートである。
ステップＳ３０２では、印刷ジョブ（印刷情報）を取得する。
ステップＳ３０４では、印刷ジョブに対して、プロダクトＩＤ（製品識別情報）を付与する。
【００３３】
例えば、ステップＳ３０２では印刷ジョブテーブル４００を取得し、ステップＳ３０４ではプロダクト印刷ジョブテーブル４７０を生成する。図４は、印刷ジョブテーブル４００、プロダクト印刷ジョブテーブル４７０のデータ構造例を示す説明図である。
図４（ａ）は、印刷ジョブテーブル４００のデータ構造例を示す説明図である。印刷ジョブテーブル４００は、依頼日時欄４１０、印刷ジョブ名欄４１５、依頼者ＩＤ欄４２０、納期欄４２５、部数欄４３０、ページ数欄４３５、部品数欄４４０、部品Ａページ数欄４４５、部品Ａ用紙種類欄４５０、部品Ａカラー／白黒印刷欄４５５、部品Ａ印刷データ欄４６０を有している。依頼日時欄４１０は、依頼日時（年、月、日、時、分、秒、秒以下、又はこれらの組み合わせであってもよい）を記憶している。印刷ジョブ名欄４１５は、印刷ジョブ名を記憶している。依頼者ＩＤ欄４２０は、本実施の形態において、依頼者（又は、クライアント装置２４０であってもよい）を一意に識別するための情報（依頼者ＩＤ：ＩＤｅｎｔｉｆｉｃａｔｉｏｎ）を記憶している。納期欄４２５は、その印刷製品の納期を記憶している。部数欄４３０は、部数（本の場合は冊数）を記憶している。ページ数欄４３５は、ページ数（本の場合は１冊のページ数）を記憶している。部品数欄４４０は、部品数を記憶している。この後、この部品数の数だけ、部品Ａページ数欄４４５から部品Ａ印刷データ欄４６０までの欄が続く。部品Ａページ数欄４４５は、部品Ａのページ数を記憶している。部品Ａ用紙種類欄４５０は、部品Ａの用紙種類（例えば、厚紙、普通紙等を示す情報）を記憶している。部品Ａカラー／白黒印刷欄４５５は、部品Ａがカラー印刷であるか白黒印刷であるかを示す情報を記憶している。部品Ａ印刷データ欄４６０は、部品Ａの印刷データ（印刷される内容を示すデータであって、例えば、ＰＤＦ（Ｐｏｒｔａｂｌｅ  Ｄｏｃｕｍｅｎｔ  Ｆｏｒｍａｔ）等のファイル形式がある）を記憶している。部品Ａとして、例えば、背表紙がある。その他に、見返し、扉、本文、うら表紙、カバー、チラシ等がある。
【００３４】
図４（ｂ）は、プロダクト印刷ジョブテーブル４７０のデータ構造例を示す説明図である。
プロダクト印刷ジョブテーブル４７０は、印刷ジョブテーブル４００にプロダクトＩＤ欄４０５を付加したデータ構造を有している。つまり、プロダクト印刷ジョブテーブル４７０は、プロダクトＩＤ欄４０５、依頼日時欄４１０、印刷ジョブ名欄４１５、依頼者ＩＤ欄４２０、納期欄４２５、部数欄４３０、ページ数欄４３５、部品数欄４４０、部品Ａページ数欄４４５、部品Ａ用紙種類欄４５０、部品Ａカラー／白黒印刷欄４５５、部品Ａ印刷データ欄４６０を有している。プロダクトＩＤ欄４０５は、本実施の形態において、プロダクトを一意に識別するための情報（プロダクトＩＤ）を記憶している。
【００３５】
ステップＳ３０６では、対象としている印刷ジョブを、その印刷ジョブ内の印刷部品毎に、部品印刷ジョブに分割する。
ステップＳ３０８では、部品印刷ジョブに対して、パーツＩＤ（印刷部品識別情報）を付与する。
【００３６】
例えば、ステップＳ３０６では分割パーツテーブル５００を生成し、ステップＳ３０８ではパーツ印刷ジョブテーブル５７０を生成する。図５は、分割パーツテーブル５００、パーツ印刷ジョブテーブル５７０のデータ構造例を示す説明図である。
図５（ａ）は、分割パーツテーブル５００のデータ構造例を示す説明図である。分割パーツテーブル５００は、プロダクトＩＤ欄５１０、部品Ａページ数欄５１５、部品Ａ用紙種類欄５２０、部品Ａカラー／白黒印刷欄５２５、部品Ａ印刷データ欄５３０を有している。プロダクトＩＤ欄５１０は、プロダクトＩＤを記憶している。部品Ａページ数欄５１５は、印刷ジョブテーブル４００の部品Ａページ数欄４４５に相当し、部品Ａのページ数を記憶している。部品Ａ用紙種類欄５２０は、印刷ジョブテーブル４００の部品Ａ用紙種類欄４５０に相当し、部品Ａの用紙種類を記憶している。部品Ａカラー／白黒印刷欄５２５は、印刷ジョブテーブル４００の部品Ａカラー／白黒印刷欄４５５に相当し、部品Ａがカラー印刷であるか白黒印刷であるかを示す情報を記憶している。部品Ａ印刷データ欄５３０は、印刷ジョブテーブル４００の部品Ａ印刷データ欄４６０に相当し、部品Ａの印刷データを記憶している。
【００３７】
図５（ｂ）は、パーツ印刷ジョブテーブル５７０のデータ構造例を示す説明図である。
パーツ印刷ジョブテーブル５７０は、分割パーツテーブル５００にパーツＩＤ欄５０５を付加したデータ構造を有している。つまり、パーツ印刷ジョブテーブル５７０は、パーツＩＤ欄５０５、プロダクトＩＤ欄５１０、部品Ａページ数欄５１５、部品Ａ用紙種類欄５２０、部品Ａカラー／白黒印刷欄５２５、部品Ａ印刷データ欄５３０を有している。パーツＩＤ欄５０５は、本実施の形態において、パーツを一意に識別するための情報（パーツＩＤ）を記憶している。
【００３８】
ステップＳ３１０では、部品印刷ジョブの属性に応じて、複数の部品印刷ジョブをまとめて、グループ印刷情報を生成する。
ステップＳ３１２では、グループ印刷情報に対して、グループＩＤ（グループ識別情報）を付与する。
【００３９】
例えば、ステップＳ３１０では同属性パーツテーブル６００を生成し、ステップＳ３１２ではグループテーブル６７０を生成する。図６は、同属性パーツテーブル６００、グループテーブル６７０のデータ構造例を示す説明図である。
図６（ａ）は、同属性パーツテーブル６００のデータ構造例を示す説明図である。
同属性パーツテーブル６００は、パーツ数欄６１０、パーツＩＤ欄６１５等を有している。パーツ数欄６１０は、パーツ数を記憶している。この後、このパーツ数の数だけ、パーツＩＤ欄６１５の欄が続く。パーツＩＤ欄６１５は、パーツＩＤを記憶している。
図６（ｂ）は、グループテーブル６７０のデータ構造例を示す説明図である。グループテーブル６７０は、同属性パーツテーブル６００にグループＩＤ欄６０５を付加したデータ構造を有している。つまり、グループテーブル６７０は、グループＩＤ欄６０５、パーツ数欄６１０、パーツＩＤ欄６１５等を有している。グループＩＤ欄６０５は、本実施の形態において、グループを一意に識別するための情報（グループＩＤ）を記憶している。
【００４０】
ステップＳ３１４では、プロダクトＩＤ、パーツＩＤ、グループＩＤを対応付けて管理する。例えば、プロダクト印刷ジョブテーブル４７０、パーツ印刷ジョブテーブル５７０、グループテーブル６７０によって、プロダクトＩＤ、パーツＩＤ、グループＩＤが対応付けられている。また、プロダクトＩＤ、パーツＩＤ、グループＩＤを対応付けたテーブルを生成してもよい。
ステップＳ３１６では、プリンタ２５０、製本機２６０等に、グループＩＤを割り振る。具体的には、そのグループＩＤに適した印刷や後処理を行うことができるプリンタ２５０、製本機２６０等を選択すればよい。例えば、表紙用の厚紙でまとめられたグループＩＤのグループ印刷ジョブに対して、その表紙用の厚紙に印刷することができるプリンタ２５０を選択すればよい。換言すると、グループ印刷情報を処理することができるプリンタ２５０、製本機２６０を選択し、選択したプリンタ２５０、製本機２６０の識別情報と割り振ったグループ印刷情報に対応するグループＩＤを対応付ける。
【００４１】
図７は、本実施の形態による処理例を示す説明図である。特に、図３の例に示したフローチャートのステップＳ３０２、ステップＳ３０４に対応する処理例である。
例えば、クライアント装置２４０Ｂから印刷ジョブ７１０Ａ、クライアント装置２４０Ｃから印刷ジョブ７１０Ｂ、クライアント装置２４０Ｄから印刷ジョブ７１０Ｃを、印刷工程管理装置１００に送信する。
印刷工程管理装置１００は、印刷ジョブ７１０Ａ、印刷ジョブ７１０Ｂ、印刷ジョブ７１０Ｃを受信する。印刷ジョブ７１０Ａは、印刷成果物Ａ：７００Ａを得るための印刷ジョブである。印刷ジョブ７１０Ｂは、印刷成果物Ｂ：７００Ｂを得るための印刷ジョブである。印刷ジョブ７１０Ｃは、印刷成果物Ｃ：７００Ｃを得るための印刷ジョブである。そして、印刷ジョブ７１０Ａに対してプロダクトＩＤ：００１を付与し、印刷ジョブ７１０Ｂに対してプロダクトＩＤ：００２を付与し、印刷ジョブ７１０Ｃに対してプロダクトＩＤ：００３を付与する。
【００４２】
図８は、本実施の形態による処理例を示す説明図である。特に、図３の例に示したフローチャートのステップＳ３０６、ステップＳ３０８、ステップＳ３１０、ステップＳ３１２、ステップＳ３１４に対応する処理例である。
まず、各印刷ジョブ７１０内をパーツに分解し、そのパーツにパーツＩＤを付与する。
印刷ジョブ７１０Ａ内には、１−００１部品（背表紙）７２１、１−００２部品（見返し）７２２、１−００３部品（扉）７２３、１−００４部品（本文ページ）７２４、１−００５部品（扉）７２５、１−００６部品（見返し）７２６、１−００７部品（うら表紙）７２７、１−００８部品（カバー）７２８、１−００９部品（帯）７２９があり、これらをパーツ毎に分解して、各パーツにパーツＩＤを付与する。例えば、１−００１部品（背表紙）７２１は、パーツＩＤ：１−００１である。
印刷ジョブ７１０Ｂ内には、２−００１部品（背表紙）７３１、２−００２部品（見返し）７３２、２−００３部品（扉）７３３、２−００４部品（本文ページ）７３４、２−００５部品（扉）７３５、２−００６部品（見返し）７３６、２−００７部品（うら表紙）７３７があり、これらをパーツ毎に分解して、各パーツにパーツＩＤを付与する。
印刷ジョブ７１０Ｃ内には、３−００１部品Ａ（チラシＡ）７４１、３−００２部品Ｂ（チラシＢ）７４２、３−００３部品Ｄ（チラシＤ）７４３、３−００４部品Ｃ（チラシＣ）７４４があり、これらをパーツ毎に分解して、各パーツにパーツＩＤを付与する。
【００４３】
次に、これらをパーツの種類（部品印刷属性の一例）毎に分類し、グループを生成する。パーツの種類として、用紙の種類、例えば、背表紙用の用紙、扉用の用紙、見返し用の用紙、本文用の用紙、チラシ用の用紙等がある。
背表紙、うら表紙からなる１−００１部品（背表紙）７２１、１−００７部品（うら表紙）７２７、２−００１部品（背表紙）７３１、２−００７部品（うら表紙）７３７を１つのグループとして、グループＩＤ：１０００１：７５１を付与する。なお、この背表紙、うら表紙は、同じ用紙を用いるものである。
扉からなる１−００３部品（扉）７２３、１−００５部品（扉）７２５、２−００３部品（扉）７３３、２−００５部品（扉）７３５を１つのグループとして、グループＩＤ：１０００２：７５２を付与する。
見返しからなる１−００２部品（見返し）７２２、２−００２部品（見返し）７３２を１つのグループとして、グループＩＤ：１０００３：７５３を付与する。
見返しからなる１−００６部品（見返し）７２６、２−００６部品（見返し）７３６を１つのグループとして、グループＩＤ：１０００４：７５４を付与する。
本文ページからなる１−００４部品（本文ページ）７２４、２−００４部品（本文ページ）７３４を１つのグループとして、グループＩＤ：１０００５：７５５を付与する。
カバー、帯からなる１−００８部品（カバー）７２８、１−００９部品（帯）７２９を１つのグループとして、グループＩＤ：１０００６：７５６を付与する。なお、このカバー、帯は、同じ用紙を用いるものである。
チラシＢ、チラシＣからなる３−００２部品Ｂ（チラシＢ）７４２、３−００４部品Ｃ（チラシＣ）７４４を１つのグループとして、グループＩＤ：１０００７：７５７を付与する。なお、このチラシＢ、チラシＣは、同じ用紙を用いるものである。
チラシＡ、チラシＤからなる３−００１部品Ａ（チラシＡ）７４１、３−００３部品Ｄ（チラシＤ）７４３を１つのグループとして、グループＩＤ：１０００８：７５８を付与する。なお、このチラシＡ、チラシＤは、同じ用紙を用いるものである。
この時点で、プロダクトＩＤ、パーツＩＤ、グループＩＤが対応付けられている。具体的には、１−００１部品（背表紙）７２１の「１−００１」の最初の「１」は、プロダクトＩＤ：００１に対応し、その１−００１部品（背表紙）７２１は、グループＩＤ：１０００１：７５１を構成しているので、プロダクトＩＤ、パーツＩＤ、グループＩＤが対応付けられていることになる。
【００４４】
図９は、本実施の形態による処理例を示す説明図である。
プリンタ２５０Ｃに、グループＩＤ：１０００７：７５７、グループＩＤ：１０００８：７５８を割り振る。プリンタ２５０Ｃは、チラシ印刷に適した印刷装置である。
プリンタ２５０Ｄに、グループＩＤ：１０００３：７５３、グループＩＤ：１０００４：７５４、グループＩＤ：１０００６：７５６を割り振る。プリンタ２５０Ｄは、見返し、カバー等の印刷に適した印刷装置である。
プリンタ２５０Ｅに、グループＩＤ：１０００１：７５１、グループＩＤ：１０００２：７５２を割り振る。プリンタ２５０Ｅは、背表紙、扉等の印刷に適した印刷装置である。
プリンタ２５０Ｆに、グループＩＤ：１０００５：７５５を割り振る。プリンタ２５０Ｆは、本文ページの印刷に適した印刷装置である。
このように、プリンタ２５０に同じ属性でまとめられたグループ印刷ジョブを割り振るので、各プリンタ２５０では効率的な出力処理を行うことができる。例えば、用紙給紙手段の用紙の入れ替え等の処理が、特定のプリンタ２５０を用いて印刷製品毎の印刷ジョブを出力させた場合よりも少なくなる。
【００４５】
図１０は、本実施の形態による処理例を示すフローチャートである。
ステップＳ１００２では、受付モジュール１１０は、表示態様切替指示を受け付ける。
ステップＳ１００４では、表示制御モジュール１３０は、表示態様切替指示による切り替え先の管理画面を判断し、「プロダクト管理画面」の場合はステップＳ１００６へ進み、「グループ管理画面」の場合はステップＳ１０１４へ進み、「後処理管理画面」の場合はステップＳ１０２２へ進む。
【００４６】
ステップＳ１００６では、ユーザーによって選択されているグループＩＤ又はパーツＩＤを取得する。
ステップＳ１００８では、プロダクトＩＤに応じて、情報をソートする。
【００４７】
ステップＳ１０１０では、プロダクトＩＤをテーブルの左端にして、プロダクト管理テーブルを表示する。
ステップＳ１０１２では、ステップＳ１００６で取得したグループＩＤ又はパーツＩＤを他のものと区別して表示する。
【００４８】
ステップＳ１０１４では、ユーザーによって選択されているプロダクトＩＤ又はパーツＩＤを取得する。
ステップＳ１０１６では、グループＩＤに応じて、情報をソートする。
【００４９】
ステップＳ１０１８では、グループＩＤをテーブルの左端にして、グループ管理テーブルを表示する。
ステップＳ１０２０では、ステップＳ１０１４で取得したプロダクトＩＤ又はパーツＩＤを他のものと区別して表示する。
【００５０】
ステップＳ１０２２では、ユーザーによって選択されているプロダクトＩＤ、グループＩＤ又はパーツＩＤを取得する。
ステップＳ１０２４では、プロダクトＩＤを取得したか否かを判断し、取得した場合はステップＳ１０２６へ進み、それ以外の場合はステップＳ１０２８へ進む。
【００５１】
ステップＳ１０２６では、グループＩＤ又はパーツＩＤに対応するプロダクトＩＤを抽出する。
ステップＳ１０２８では、プロダクトＩＤに対応する後工程管理画面を表示する。
【００５２】
例えば、印刷工程管理装置１００は、ある工程の進捗管理の画面で任意の進捗管理の対象を選択すると、現在表示している画面とは別の工程の進捗管理画面遷移への選択肢を提示する。
他の工程の進捗管理画面に遷移した際には、元の進捗管理画面で選択した前記の管理対象を容易に発見できるように表示する。
つまり、表示切り換え前の画面で着目していた項目を、切り換え後の画面で容易に特定することが可能となる。
したがって、複数の工程を経て製作される成果物に対し、複数の異なる単位での進捗管理を容易に行うことが可能になる。
【００５３】
図１１は、従来の画面切り替え処理の例を示す説明図である。
プロダクト管理画面１１００には、プロダクト管理テーブル１１１０、画面切り換えボタン１１９０を表示する。
プロダクト管理テーブル１１１０は、プロダクトＩＤ欄１１１５、パーツＩＤ欄１１２０、グループＩＤ欄１１２５、ステータス欄１１３０、プリンタ欄１１３５を有している。プロダクトＩＤ欄１１１５には、プロダクトＩＤを表示する。パーツＩＤ欄１１２０には、そのプロダクトＩＤのプロダクトに含まれているパーツのパーツＩＤを表示する。グループＩＤ欄１１２５には、そのパーツＩＤのパーツが含まれているグループのグループＩＤを表示する。ステータス欄１１３０には、そのパーツＩＤのパーツの印刷工程におけるステータス（処理状況）を表示する。プリンタ欄１１３５には、そのパーツＩＤのパーツ（又はそのグループＩＤのグループ）が割り当てられているプリンタを識別するプリンタＩＤを表示する。本実施の形態の説明では、プリンタＡ、プリンタＢのようにプリンタ名をプリンタＩＤとして使用するものとしている。
画面切り換えボタン１１９０が操作者によって選択された場合、図１２の例に示すグループ管理画面１２００を表示する。
【００５４】
図１２は、従来の画面切り替え処理の例を示す説明図である。
グループ管理画面１２００には、グループ管理テーブル１２１０、画面切り換えボタン１２９０を表示する。
グループ管理テーブル１２１０は、グループＩＤ欄１２１５、プロダクトＩＤ欄１２２０、パーツＩＤ欄１２２５、ステータス欄１２３０、プリンタ欄１２３５を有している。グループＩＤ欄１２１５には、グループＩＤを表示する。プロダクトＩＤ欄１２２０には、プロダクトＩＤを表示する。パーツＩＤ欄１２２５には、パーツＩＤを表示する。ステータス欄１２３０には、ステータスを表示する。プリンタ欄１２３５には、プリンタＩＤ（プリンタ名）を表示する。
画面切り換えボタン１２９０が操作者によって選択された場合、図１１の例に示すプロダクト管理画面１１００を表示する。
【００５５】
印刷製品を管理するプロダクト管理画面１１００では印刷製品の観点で表示されており、グループを管理するグループ管理画面１２００ではグループの観点で表示される。
例えば、あるプロダクトを構成するパーツの進捗状況を確認したい場合に、パーツ観点ではなくグループ観点で進捗を見たい場合がある。
プロダクト管理画面１１００からグループ管理画面１２００に表示を切り替えると、元々確認したいと思っていたパーツがグループ管理画面１２００ではどこに存在しているのかについて把握しづらい。
また、例えば、プロダクト管理画面１１００で着目していた「ｐｒｄ１」（プロダクト）を、グループ管理画面１２００で確認したい場合、グループ管理画面１２００ではどこに「ｐｒｄ１」があるのかを探す必要がある。そして、「ｐｒｄ１」は複数に分解されており、探すのは困難である。
また、パーツが属するグループの情報だけをプロダクト管理画面１１００で表示する方式だと、グループ全体の状況を見ることはできない。
確認したいパーツが属するグループの状況だけではなく、パーツが属さないグループも含めてグループ全体の状況を確認できた方がよい。
印刷工程管理装置１００では、グループ管理画面１２００に遷移してグループ全体を見ることで、確認したいパーツが属するグループの前に予約されているグループの数やグループの内容を把握できるようにしている。
【００５６】
図１３は、本実施の形態による処理例を示す説明図である。
プロダクト管理画面１３００には、プロダクト管理テーブル１３１０を表示する。
プロダクト管理テーブル１３１０は、プロダクトＩＤ欄１３１５、パーツＩＤ欄１３２０、グループＩＤ欄１３２５、ステータス欄１３３０、プリンタ欄１３３５、出荷ＩＤ欄１３４０を有している。プロダクトＩＤ欄１３１５には、プロダクトＩＤを表示する。パーツＩＤ欄１３２０には、パーツＩＤを表示する。グループＩＤ欄１３２５には、グループＩＤを表示する。ステータス欄１３３０には、ステータスを表示する。プリンタ欄１３３５には、プリンタＩＤ（プリンタ名）を表示する。出荷ＩＤ欄１３４０には、本実施の形態において、出荷を一意に識別するための情報（出荷ＩＤ）を表示する。
【００５７】
切り換え画面選択ボックス１３６０を表示させる操作（例えば、マウスの右ボタンのクリック等）を検知すると、切り換え画面選択ボックス１３６０を表示する。
切り換え画面選択ボックス１３６０内には、リスト形式で、例えば、「１  グループ管理画面」、「２  後処理管理画面」、「３  プリント管理画面」、「４  出荷管理画面」と表示する。
ここでは、「１  グループ管理画面」が、ユーザーの操作によって選択されたとする。この後、図１４の例に示すグループ管理画面１４００を表示する。
この例では、カーソル１３５０をプロダクト管理テーブル１３１０の１行１列目（「Ｐｒｄ１」が表示されているセル）に置き、マウスの右ボタンをクリックすることによって切り換え画面選択ボックス１３６０を表示する。
ここで、切り換え画面選択ボックス１３６０を表示するときに、カーソル１３５０が置かれている位置にあるセル内のテキスト（プロダクトＩＤ、グループＩＤ、パーツＩＤ等を示すテキスト）が、「ユーザーによって選択されているプロダクトＩＤ、グループＩＤ、パーツＩＤ等」の一例である。また、カーソル１３５０によって選択されたテキストを「ユーザーによって選択されているプロダクトＩＤ、グループＩＤ、パーツＩＤ等」の一例としてもよい。
【００５８】
図１４は、本実施の形態による処理例を示す説明図である。
グループ管理画面１４００には、グループ管理テーブル１４１０を表示する。
グループ管理テーブル１４１０は、グループＩＤ欄１４１５、プロダクトＩＤ欄１４２０、パーツＩＤ欄１４２５、ステータス欄１４３０、プリンタ欄１４３５、出荷ＩＤ欄１４４０を有している。グループＩＤ欄１４１５には、グループＩＤを表示する。プロダクトＩＤ欄１４２０には、プロダクトＩＤを表示する。パーツＩＤ欄１４２５には、パーツＩＤを表示する。ステータス欄１４３０には、ステータスを表示する。プリンタ欄１４３５には、プリンタＩＤ（プリンタ名）を表示する。出荷ＩＤ欄１４４０には、出荷ＩＤを表示する。つまり、左端にグループＩＤをまとめたグループＩＤ欄１４１５を表示し、２列目にそのグループに含まれているパーツのプロダクトをプロダクトＩＤ欄１４２０として表示し、３列目にそのグループに含まれているパーツをパーツＩＤ欄１４２５として表示し、４列目にそのパーツの印刷工程におけるステータス（処理状況）をステータス欄１４３０として表示し、５列目にそのパーツＩＤのパーツ（又はそのグループＩＤのグループ）が割り当てられているプリンタのプリンタＩＤ（プリンタ名）をプリンタ欄１４３５として表示し、６列目に後処理の一例である出荷を出荷ＩＤ欄１４４０として表示する。
【００５９】
そして、プロダクトＩＤ欄１４２０内の「Ｐｒｄ１」について、「Ｐｒｄ１」強調表示１４５０、「Ｐｒｄ１」強調表示１４５２、「Ｐｒｄ１」強調表示１４５４のように表示する。図１３の例で示したように、「Ｐｒｄ１」が操作者によって選択されていたからである。図１４の例では、「Ｐｒｄ１」をハイライト表示しているが、他のプロダクトＩＤ（Ｐｒｄ２、Ｐｒｄ３等）と区別できるように形態を異ならせて表示すればよい。「形態を異ならせる」として、例えば、文字、図形、記号等の付加、形状、模様、色彩を異ならせる、動的に変化させること（例えば、フラッシュ、アニメーション等）、点滅（点滅における変更対象は、点滅を行うか否か、点滅を行っている期間、点滅の間隔等がある）、又は、これらの組み合わせであってもよい。
【００６０】
また、各識別情報（グループＩＤ、プロダクトＩＤ、パーツＩＤ）には、ハイパーリンクが埋め込まれており、クリックで画面を切り換えて、その識別情報が指し示している内容（グループ情報、プロダクト情報、パーツ情報）を表示する。
なお、画面は遷移させずに、元画面でＰｒｄ１の詳細情報として関連する行を表示する方式も考えられるが、全体の状況を確認できないこととなる。図１４の例に示すような表示であれば、全体の状況と個別の印刷ジョブを同時に確認できるようになる。
【００６１】
図１５は、本実施の形態による処理例を示す説明図である。図１３の例に示す切り換え画面選択ボックス１３６０で「４  出荷管理画面」が選択された場合の表示例を示すものである。
出荷管理画面１５００には、出荷管理テーブル１５１０を表示する。出荷管理テーブル１５１０は、「後処理工程以降の印刷工程を管理する表示態様」の一例である。
出荷管理テーブル１５１０は、出荷ＩＤ欄１５１５、プロダクトＩＤ欄１５２０、プロダクトステータス欄１５２５、出荷ステータス欄１５３０、配送先欄１５３５、配送予定日時欄１５４０を有している。つまり、左端に出荷ＩＤをまとめた出荷ＩＤ欄１５１５を表示し、２列目にその出荷に含まれているプロダクトをプロダクトＩＤ欄１５２０として表示し、３列目にそのプロダクトのステータスをプロダクトステータス欄１５２５として表示し、４列目にその出荷のステータスを出荷ステータス欄１５３０として表示し、５列目にその出荷の配送先を配送先欄１５３５として表示し、６列目にその出荷の配送予定日時を配送予定日時欄１５４０として表示している。もちろんのことながら、この他に、グループＩＤ、パーツＩＤ等を表示するようにしてもよい。
【００６２】
図１６は、本実施の形態による処理例を示す説明図である。
グループ管理画面１６００には、グループ管理テーブル１６１０、検索式受付欄１６５０、検索ボタン１６５５を表示する。グループ管理テーブル１６１０は、「特定したグループ識別情報又は製品識別情報を含む管理情報のみを表示」の一例である。
検索式受付欄１６５０内に、操作者の操作によって検索式が入力される。例えば、検索式として「プロダクトＩＤ＝＝Ｐｒｄ１」が入力され、検索ボタン１６５５が選択された場合、プロダクトＩＤが「Ｐｒｄ１」である管理情報だけをグループ管理テーブル１６１０内に表示している。つまり、プロダクトＩＤ欄１６２０内には「Ｐｒｄ１」だけを、「Ｐｒｄ１」強調表示１６６０、「Ｐｒｄ１」強調表示１６６２、「Ｐｒｄ１」強調表示１６６４のように表示している。
もちろんのことながら、検索式受付欄１６５０内での検索には、プロダクトＩＤによる検索だけでなく、他の識別情報（グループＩＤ等）による検索が指定されてもよい。
【００６３】
図１７は、本実施の形態による処理例を示す説明図である。
プロダクト管理画面１７００には、プロダクト管理テーブル１７１０を表示する。
プロダクト管理テーブル１７１０は、プロダクトＩＤ欄１７１５、パーツＩＤ欄１７２０、グループＩＤ欄１７２５、ステータス欄１７３０、プリンタ欄１７３５、出荷ＩＤ欄１７４０を有している。プロダクトＩＤ欄１７１５には、プロダクトＩＤを表示する。パーツＩＤ欄１７２０には、パーツＩＤを表示する。グループＩＤ欄１７２５には、グループＩＤを表示する。ステータス欄１７３０には、ステータスを表示する。プリンタ欄１７３５には、プリンタＩＤ（プリンタ名）を表示する。出荷ＩＤ欄１７４０には、出荷ＩＤを表示する。
ここで、カーソル１７５０によって、「Ｐｒｄ１−Ｐｒｔ３」が選択されたとする。そして、プロダクト管理画面１７００からグループ管理画面１８００（図１８）への画面の切り替えが行われたとする。
【００６４】
図１８は、本実施の形態による処理例を示す説明図である。グループ管理画面１８００は、図１７の例に示したプロダクト管理画面１７００からの切り替え画面である。
グループ管理画面１８００には、グループ管理テーブル１８１０を表示する。グループ管理テーブル１８１０は、グループＩＤ欄１８１５、プロダクトＩＤ欄１８２０、パーツＩＤ欄１８２５、ステータス欄１８３０、プリンタ欄１８３５、出荷ＩＤ欄１８４０を有している。グループＩＤ欄１８１５には、グループＩＤを表示する。プロダクトＩＤ欄１８２０には、プロダクトＩＤを表示する。パーツＩＤ欄１８２５には、パーツＩＤを表示する。ステータス欄１８３０には、ステータスを表示する。プリンタ欄１８３５には、プリンタＩＤ（プリンタ名）を表示する。出荷ＩＤ欄１８４０には、出荷ＩＤを表示する。
そして、図１７の例で選択された「Ｐｒｄ１−Ｐｒｔ３」に該当するパーツＩＤを「Ｐｒｔ３」強調表示１８５０とする。
このように、パーツＩＤが選択された場合は、その選択されたパーツＩＤが含まれているプロダクトＩＤとの組み合わせとして選択されたものとしてもよい。つまり、パーツＩＤのみでは、他のプロダクト内のパーツＩＤと重複している場合があり、プロダクトＩＤとパーツＩＤとの組み合わせで、選択されたパーツＩＤに対応する管理情報を特定できるからである。
【００６５】
図１９は、本実施の形態による処理例を示す説明図である。
グループ管理画面１９００には、グループ管理テーブル１９１０を表示する。
グループ管理テーブル１９１０は、グループＩＤ欄１９１５、プロダクトＩＤ欄１９２０、パーツＩＤ欄１９２５、ステータス欄１９３０、プリンタ欄１９３５、出荷ＩＤ欄１９４０を有している。グループＩＤ欄１９１５には、グループＩＤを表示する。プロダクトＩＤ欄１９２０には、プロダクトＩＤを表示する。パーツＩＤ欄１９２５には、パーツＩＤを表示する。ステータス欄１９３０には、ステータスを表示する。プリンタ欄１９３５には、プリンタＩＤ（プリンタ名）を表示する。出荷ＩＤ欄１９４０には、出荷ＩＤを表示する。
ここで、カーソル１９５０によって「Ｐｒｄ１−Ｐｒｔ３」が選択されたとする。そして、グループ管理画面１９００からプロダクト管理画面２０００（図２０）への画面の切り替えが行われたとする。
【００６６】
図２０は、本実施の形態による処理例を示す説明図である。プロダクト管理画面２０００は、図１９の例に示したグループ管理画面１９００からの切り替え画面である。
プロダクト管理画面２０００には、プロダクト管理テーブル２０１０を表示する。
プロダクト管理テーブル２０１０は、プロダクトＩＤ欄２０１５、パーツＩＤ欄２０２０、グループＩＤ欄２０２５、ステータス欄２０３０、プリンタ欄２０３５、出荷ＩＤ欄２０４０を有している。プロダクトＩＤ欄２０１５には、プロダクトＩＤを表示する。パーツＩＤ欄２０２０には、パーツＩＤを表示する。グループＩＤ欄２０２５には、グループＩＤを表示する。ステータス欄２０３０には、ステータスを表示する。プリンタ欄２０３５には、プリンタＩＤ（プリンタ名）を表示する。出荷ＩＤ欄２０４０には、出荷ＩＤを表示する。
そして、図１９の例で選択された「Ｐｒｄ１−Ｐｒｔ３」に該当するパーツＩＤを「Ｐｒｔ３」強調表示２０５０とする。
このように、パーツＩＤが選択された場合は、その選択されたパーツＩＤが含まれているプロダクトＩＤとの組み合わせとして選択されたものとしてもよい。つまり、パーツＩＤのみでは、他のプロダクト内のパーツＩＤと重複している場合があり、プロダクトＩＤとパーツＩＤとの組み合わせで、選択されたパーツＩＤに対応する管理情報を特定できるからである。
【００６７】
図２１は、本実施の形態による処理例を示す説明図である。
プロダクト管理画面２１００には、プロダクト管理テーブル２１１０を表示する。
プロダクト管理テーブル２１１０は、プロダクトＩＤ欄２１１５、パーツＩＤ欄２１２０、グループＩＤ欄２１２５、ステータス欄２１３０、プリンタ欄２１３５、出荷ＩＤ欄２１４０を有している。プロダクトＩＤ欄２１１５には、プロダクトＩＤを表示する。パーツＩＤ欄２１２０には、パーツＩＤを表示する。グループＩＤ欄２１２５には、グループＩＤを表示する。ステータス欄２１３０には、ステータスを表示する。プリンタ欄２１３５には、プリンタＩＤ（プリンタ名）を表示する。出荷ＩＤ欄２１４０には、出荷ＩＤを表示する。
ここで、カーソル２１５０によって「Ｇ１００」が選択されたとする。そして、プロダクト管理画面２１００からグループ管理画面２２００（図２２）への画面の切り替えが行われたとする。
【００６８】
図２２は、本実施の形態による処理例を示す説明図である。グループ管理画面２２００は、図２１の例に示したプロダクト管理画面２１００からの切り替え画面である。
グループ管理画面２２００には、グループ管理テーブル２２１０を表示する。
グループ管理テーブル２２１０は、グループＩＤ欄２２１５、プロダクトＩＤ欄２２２０、パーツＩＤ欄２２２５、ステータス欄２２３０、プリンタ欄２２３５、出荷ＩＤ欄２２４０を有している。グループＩＤ欄２２１５には、グループＩＤを表示する。プロダクトＩＤ欄２２２０には、プロダクトＩＤを表示する。パーツＩＤ欄２２２５には、パーツＩＤを表示する。ステータス欄２２３０には、ステータスを表示する。プリンタ欄２２３５には、プリンタＩＤ（プリンタ名）を表示する。出荷ＩＤ欄２２４０には、出荷ＩＤを表示する。この例では、スクロールバー２２６０を表示しており、グループ管理画面２２００で表示しているグループ管理テーブル２２１０は、全体に対してどのような位置であるかがわかるようになっている。
そして、図２１の例で選択された「Ｇ１００」に該当するグループＩＤを「Ｇ１００」強調表示２２５０とする。
このように、グループＩＤが選択された場合は、その選択されたグループＩＤのみが選択されたものとしてもよい。
つまり、プロダクトＩＤ又はグループＩＤが選択された場合は、その選択されたプロダクトＩＤ又はグループＩＤのみが選択されたものとしてもよい。そして、パーツＩＤが選択された場合は、その選択されたパーツＩＤが含まれているプロダクトＩＤとの組み合わせとして選択されたものとしてもよい。
【００６９】
図２３を参照して、本実施の形態の印刷工程管理装置１００のハードウェア構成例について説明する。図２３に示す構成は、例えばパーソナルコンピュータ（ＰＣ）等によって構成されるものであり、スキャナ等のデータ読み取り部２３１７と、プリンタ等のデータ出力部２３１８を備えたハードウェア構成例を示している。
【００７０】
ＣＰＵ（Ｃｅｎｔｒａｌ  Ｐｒｏｃｅｓｓｉｎｇ  Ｕｎｉｔ）２３０１は、前述の実施の形態において説明した各種のモジュール、すなわち、ＵＩ処理モジュール１０５、プロダクト・パーツ・グループ等管理モジュール１２０、印刷工程取得モジュール１２５、表示制御モジュール１３０等の各モジュールの実行シーケンスを記述したコンピュータ・プログラムにしたがった処理を実行する制御部である。
【００７１】
ＲＯＭ（Ｒｅａｄ  Ｏｎｌｙ  Ｍｅｍｏｒｙ）２３０２は、ＣＰＵ２３０１が使用するプログラムや演算パラメータ等を格納する。ＲＡＭ（Ｒａｎｄｏｍ  Ａｃｃｅｓｓ  Ｍｅｍｏｒｙ）２３０３は、ＣＰＵ２３０１の実行において使用するプログラムや、その実行において適宜変化するパラメータ等を格納する。これらはＣＰＵバス等から構成されるホストバス２３０４により相互に接続されている。
【００７２】
ホストバス２３０４は、ブリッジ２３０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス２３０６に接続されている。
【００７３】
キーボード２３０８、マウス等のポインティングデバイス２３０９は、操作者により操作されるデバイスである。ディスプレイ２３１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス２３０９とディスプレイ２３１０の両方の機能を備えているタッチスクリーン等であってもよい。その場合、キーボードの機能の実現について、キーボード２３０８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【００７４】
ＨＤＤ（Ｈａｒｄ  Ｄｉｓｋ  Ｄｒｉｖｅ）２３１１は、ハードディスク（フラッシュ・メモリ等であってもよい）を内蔵し、ハードディスクを駆動し、ＣＰＵ２３０１によって実行するプログラムや情報を記録又は再生させる。ハードディスクには、印刷ジョブテーブル４００、プロダクト印刷ジョブテーブル４７０、分割パーツテーブル５００、パーツ印刷ジョブテーブル５７０、同属性パーツテーブル６００、グループテーブル６７０等が格納される。さらに、その他の各種データ、各種コンピュータ・プログラム等が格納される。
【００７５】
ドライブ２３１２は、装着されている磁気ディスク、光ディスク、光磁気ディスク、又は半導体メモリ等のリムーバブル記録媒体２３１３に記録されているデータ又はプログラムを読み出して、そのデータ又はプログラムを、インタフェース２３０７、外部バス２３０６、ブリッジ２３０５、及びホストバス２３０４を介して接続されているＲＡＭ２３０３に供給する。なお、リムーバブル記録媒体２３１３も、データ記録領域として利用可能である。
【００７６】
接続ポート２３１４は、外部接続機器２３１５を接続するポートであり、ＵＳＢ、ＩＥＥＥ１３９４等の接続部を持つ。接続ポート２３１４は、インタフェース２３０７、及び外部バス２３０６、ブリッジ２３０５、ホストバス２３０４等を介してＣＰＵ２３０１等に接続されている。通信部２３１６は、通信回線に接続され、外部とのデータ通信処理を実行する。データ読み取り部２３１７は、例えばスキャナであり、ドキュメントの読み取り処理を実行する。データ出力部２３１８は、例えばプリンタであり、ドキュメントデータの出力処理を実行する。
【００７７】
なお、図２３に示す印刷工程管理装置１００のハードウェア構成は、１つの構成例を示すものであり、本実施の形態は、図２３に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図２３に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか二つ以上の機能を有している画像処理装置）などに組み込まれていてもよい。
【００７８】
前述の実施の形態においては、識別情報であるプロダクトＩＤ、パーツＩＤ、グループＩＤとして「Ｐｒｄ」、「Ｐｒｔ」、「Ｇ」の文字と数値の組み合わせの例を示したが、名称等であってもよい。その名称は、操作者によって名付けされたものであってもよいし、印刷ジョブ名称（印刷ジョブテーブル４００の印刷ジョブ名欄４１５）を用いたものであってもよい。
【００７９】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００８０】
１００…印刷工程管理装置
１０５…ＵＩ処理モジュール
１１０…受付モジュール
１１５…表示モジュール
１２０…プロダクト・パーツ・グループ等管理モジュール
１２５…印刷工程取得モジュール
１３０…表示制御モジュール
２４０…クライアント装置
２５０…プリンタ
２６０…製本機
２９０…通信回線
【図１】
2019215619.tif 000003
【図２】
2019215619.tif 000004
【図３】
2019215619.tif 000005
【図４】
2019215619.tif 000006
【図５】
2019215619.tif 000007
【図６】
2019215619.tif 000008
【図７】
2019215619.tif 000009
【図８】
2019215619.tif 000010
【図９】
2019215619.tif 000011
【図１０】
2019215619.tif 000012
【図１１】
2019215619.tif 000013
【図１２】
2019215619.tif 000014
【図１３】
2019215619.tif 000015
【図１４】
2019215619.tif 000016
【図１５】
2019215619.tif 000017
【図１６】
2019215619.tif 000018
【図１７】
2019215619.tif 000019
【図１８】
2019215619.tif 000020
【図１９】
2019215619.tif 000021
【図２０】
2019215619.tif 000022
【図２１】
2019215619.tif 000023
【図２２】
2019215619.tif 000024
【図２３】
2019215619.tif 000025